(57)【要約】【課題】満足のいく整地作業ができる農作業機を提供する。【解決手段】農作業機１は、耕耘作業をする耕耘体６と、耕耘体６の後方で整地作業をする整地体７とを備える。整地体７に第１連結体11の下端部を回動可能に連結し、第１連結体11の上端部に前端部を機体２に回動可能に連結した第２連結体16の後端部を回動可能に連結する。第２連結体16には、リンク当接部15に当接するリンク体25を上下方向に回動可能に設ける。耕耘体６の作業深さが設定深さより深い場合、リンク体25がリンク当接部15から離れるため、ガススプリング31が整地体７を接地圧減少方向に付勢しない状態となる。【選択図】図１
2007300804.tif 000002
【特許請求の範囲】
【請求項１】
走行車に連結される機体と、
この機体に設けられ、耕耘作業をする耕耘体と、
前記機体に設けられ、前記耕耘体の後方で整地作業をする整地体と、
この整地体に下端部が回動可能に連結された第１連結体と、
前端部が前記機体に回動可能に連結され、後端部が前記第１連結体の上端部に回動可能に連結され、リンク当接部を有する第２連結体と、
この第２連結体に上下方向に回動可能に設けられ、前記リンク当接部に当接するリンク体と、
一端部が前記機体に取り付けられ、他端部が前記リンク体に取り付けられ、前記整地体をこの整地体の接地圧が減少する方向に付勢する付勢手段とを備え、
前記耕耘体の作業深さが設定深さより深い場合には、前記リンク体が前記リンク当接部から離れ、前記整地体が前記付勢手段にて付勢されない状態になる
ことを特徴とする農作業機。
【請求項２】
リンク体がリンク当接部から離れる設定深さが調整可能となっている
ことを特徴とする請求項１記載の農作業機。
【発明の詳細な説明】
【技術分野】
【０００１】
本発明は、耕耘体にて耕耘される土量の多い深耕耘作業の際に、十分な整地体の接地圧が得られ、満足のいく整地作業ができる農作業機に関するものである。
【背景技術】
【０００２】
従来、トラクタに連結される機体と、機体に設けられ耕耘作業をする耕耘体と、機体に設けられ耕耘体の後方で整地作業をする整地体と、整地体に下端部が回動可能に連結された第１連結体と、前端部が機体に回動可能に連結され後端部が第１連結体の上端部に回動可能に連結された第２連結体と、整地体をこの整地体の接地圧が減少する方向に付勢する付勢手段とを備えた農作業機が知られている（例えば、特許文献１参照）。
【特許文献１】特開平９−１６３８０７号公報
【発明の開示】
【発明が解決しようとする課題】
【０００３】
しかしながら、上記従来の農作業機では、耕耘体の作業深さが深くなっても、整地体が付勢手段にて接地圧減少方向に付勢され続けるため、耕耘体にて耕耘される土量の多い深耕耘作業の際に、整地体の接地圧が不十分となり、満足のいく整地作業ができないおそれがある。
【０００４】
本発明は、このような点に鑑みなされたもので、耕耘体にて耕耘される土量の多い深耕耘作業の際に、十分な整地体の接地圧が得られ、満足のいく整地作業ができる農作業機を提供することを目的とする。
【課題を解決するための手段】
【０００５】
請求項１記載の農作業機は、走行車に連結される機体と、この機体に設けられ、耕耘作業をする耕耘体と、前記機体に設けられ、前記耕耘体の後方で整地作業をする整地体と、この整地体に下端部が回動可能に連結された第１連結体と、前端部が前記機体に回動可能に連結され、後端部が前記第１連結体の上端部に回動可能に連結され、リンク当接部を有する第２連結体と、この第２連結体に上下方向に回動可能に設けられ、前記リンク当接部に当接するリンク体と、一端部が前記機体に取り付けられ、他端部が前記リンク体に取り付けられ、前記整地体をこの整地体の接地圧が減少する方向に付勢する付勢手段とを備え、前記耕耘体の作業深さが設定深さより深い場合には、前記リンク体が前記リンク当接部から離れ、前記整地体が前記付勢手段にて付勢されない状態になるものである。
【０００６】
請求項２記載の農作業機は、請求項１記載の農作業機において、リンク体がリンク当接部から離れる設定深さが調整可能となっているものである。
【発明の効果】
【０００７】
請求項１に係る発明によれば、耕耘体の作業深さが設定深さより深い場合には、リンク体がリンク当接部から離れ、整地体が付勢手段にて付勢されない状態になるため、耕耘体にて耕耘される土量の多い深耕耘作業の際に、十分な整地体の接地圧が得られ、満足のいく整地作業ができる。
【０００８】
請求項２に係る発明によれば、リンク体がリンク当接部から離れる設定深さが調整可能となっているため、各圃場の状態に適切に対応できる。
【発明を実施するための最良の形態】
【０００９】
本発明の農作業機の一実施の形態を図面を参照して説明する。
【００１０】
図１において、１は農作業機で、この農作業機１は、例えば図示しない走行車であるトラクタの３点リンク部（作業機昇降支持装置）に昇降可能に連結される水田用ハロー等の代掻装置である。
【００１１】
農作業機１は、トラクタの後部の３点リンク部に連結される機体２を備えている。機体２にはトラクタ側からの動力を入力する入力軸３が回転可能に設けられている。入力軸３には、トラクタのＰＴＯ軸がユニバーサルジョイントおよび伝動シャフト等を介して接続される。
【００１２】
機体２は、左右両側にチェーンケース部４およびブラケット部（図示せず）を有している。左右両側のチェーンケース部４およびブラケット部間には、入力軸３側からの動力に基づいて左右方向の回転中心軸線Ｘを中心として回転しながら耕耘作業をする耕耘体（ロータリ）６が回転可能に設けられている。耕耘体６は、例えば左右方向の耕耘軸およびこの耕耘軸に放射状に固着された耕耘爪等にて構成されている。
【００１３】
また、機体２は、耕耘体６の上方部を覆う略板状のカバー部５を有している。カバー部５の後端部には、耕耘体６の後方で圃場面Ａに追従するように上下方向に回動しながら整地作業をする整地体７が上下方向に回動可能に設けられている。整地体７は、機体２のカバー部５の後端部に上端部がゴム板20を介して取り付けられた第１整地板（均平板）８と、この第１整地板８の下端部に前端部が左右方向の軸10を介して回動可能に取り付けられた第２整地板（レーキ）９とを有している。第１整地板８はこの第１整地板８の後端側が昇降するように左右方向の軸8aを中心として上下方向に回動可能となっており、この軸8aは軸案内部14に沿って上下動するようになっている。
【００１４】
そして、整地体７の第２整地板９の連結板部12には、パイプ等からなる長手状の第１連結体11の下端部が左右方向の軸13を介して回動可能に連結されている。
【００１５】
第１連結体11の上端部には、リンク当接部15を有するコ字枠等からなる長手状の第２連結体16の後端部が左右方向の軸17を介して回動可能に連結され、この第２連結体16の前端部が機体２の連結板部18に左右方向の軸19を介して回動可能に連結されている。
【００１６】
第２連結体16は、下方に向って開口する断面略コ字状をなすもので、略矩形状の第１板部21と、この第１板部21の幅方向両端部から下方に向って突出し互いに離間対向する左右一対の第２板部22とを有している。第１板部21の長手方向略中央部の下面がリンク当接部15となっている。各第２板部22の長手方向略中央部には、それぞれ複数、例えば３つの孔部23a，23b，23cが第２板部22の長手方向に沿って形成されている。
【００１７】
そして、第２連結体16には、リンク当接部15に接離自在に面状に当接する回動部材であるリンク体25が脱着可能な左右方向の軸である脱着ピン26を介してこの脱着ピン26を中心として上下方向に回動可能に設けられている。すなわち例えば図１に示す状態では、第２連結体16の複数の孔部23a，23b，23cの中から選択された左右一対の孔部23aに対して装着された脱着ピン26にリンク体25の前端部が取り付けられており、このリンク体25は第２連結体16に対してリンク体25の後端側が昇降するようにその脱着ピン26を中心として上下方向に回動可能となっている。
【００１８】
また、リンク体25の後端部には、一端部である前端部が機体２の連結板部18に左右方向の軸30を介して回動可能に取り付けられた伸縮可能な長手状の付勢手段であるガススプリング31の他端部である後端部が左右方向の軸32を介して回動可能に取り付けられている。
【００１９】
ガススプリング31は、リンク体25、第２連結体16および第１連結体11等を介して整地体７をこの整地体７の接地圧（第２整地板９の圃場面Ａとの接地圧）が減少する方向に付勢して整地体７の重量を軽くするもので、シリンダ本体部33とこのシリンダ本体部33内に対して出入りするロッド部34とを有している。シリンダ本体部33の基端部が機体２の連結板部18に軸30を介して回動可能に取り付けられ、ロッド部34の先端部がリンク体25の後端部に軸32を介して回動可能に取り付けられている。
【００２０】
そして、図２および図３に示すように、代掻き作業時において、耕耘体６の作業深さＦが圃場の状態に応じて予め設定された設定深さより深くなった場合には、ガススプリング31が最長状態つまり伸びきった状態になるとともに、リンク体25が第２連結体16に対して相対的に脱着ピン26を中心として下方回動してリンク当接部15から離れ、整地体７がガススプリング31にて接地圧減少方向に付勢されない状態になり、その結果、整地体７の全重量が圃場面Ａにかかった状態で整地体７による整地作業が行なわれる。なお、図３に示す状態は、耕耘体６の作業深さＦが最も深く、整地体７が最も持ち上げられた最上げ状態である。
【００２１】
また、図４および図５に示すように、ガススプリング31が最長状態となってリンク体25がリンク当接部15から離れる設定深さは、リンク体25の回動支点である脱着ピン26を装着する孔部23a，23b，23cの変更によって調整可能となっている。
【００２２】
次に、上記農作業機１の動作等を説明する。
【００２３】
農作業機１を用いて代掻き作業をする場合、農作業機１をトラクタの３点リンク部に連結し、トラクタの走行により農作業機１を前方に移動させると、耕耘体６は入力軸３側からの動力に基づいて回転中心軸線Ｘを中心として回転して耕耘作業をするとともに、整地体７は耕耘体６の後方で圃場面Ａに追従するように上下方向に回動しながら整地作業をする。
【００２４】
このような代掻き作業時において、図１に示すように、耕耘体６の作業深さＦが比較的浅く、耕耘体６の回転中心軸線Ｘが圃場面Ａより高い位置にある浅耕耘作業の際には、整地体７は、ガススプリング31にて接地圧減少方向つまり上方に付勢されて軽くなった状態で整地作業を行う。
【００２５】
しかし、図２および図３に示すように、耕耘体６の作業深さＦが設定深さより深く、耕耘体６の回転中心軸線Ｘが圃場面Ａと略同じか圃場面Ａより低い位置にする深耕耘作業の際には、ガススプリング31が最長状態となってリンク体25がリンク当接部15から離れ、整地体７がガススプリング31にて接地圧減少方向つまり上方に付勢されない状態になり、その結果、整地体７は整地体７の全重量が圃場面Ａにかかった状態で整地作業を行う。
【００２６】
このように農作業機１によれば、耕耘体６の作業深さＦが設定深さより深いと、ガススプリング31が最長状態となってリンク体25がリンク当接部15から離れ、整地体７がガススプリング31にて付勢されない状態になるため、耕耘体６にて耕耘される土量の多い深耕耘作業の際に、十分な整地体７の接地圧が得られ、満足のいく整地作業ができ、均平性の向上を図ることができる。
【００２７】
また、リンク体25が第２連結体16のリンク当接部15から離れる設定深さが調整可能となっているため、各圃場の状態に適切に対応できる。
【００２８】
なお、整地体７をこの整地体７の接地圧が減少する方向に付勢する付勢手段（サポート手段）は、ガススプリング31には限定されず、例えばコイルばね等の弾性部材を用いたもの等でもよい。
【図面の簡単な説明】
【００２９】
【図１】本発明の一実施の形態に係る農作業機を示す側面図である。
【図２】同上農作業機の深耕耘作業時における側面図である。
【図３】同上農作業機の最上げ状態時における側面図である。
【図４】同上農作業機を設定深さを浅くした場合の側面図である。
【図５】同上農作業機を設定深さをより浅くした場合の側面図である。
【符号の説明】
【００３０】
１    農作業機
２    機体
６    耕耘体
７    整地体
11    第１連結体
15    リンク当接部
16    第２連結体
25    リンク体
31    付勢手段であるガススプリング
Ｆ    耕耘体の作業深さ
【図１】
2007300804.tif 000003
【図２】
2007300804.tif 000004
【図３】
2007300804.tif 000005
【図４】
2007300804.tif 000006
【図５】
2007300804.tif 000007